(57)【要約】【課題】燃焼ガス中に含まれる水蒸気の凝縮に伴う白煙がほとんど発生しない燃焼装置の提供を目的とする。【解決手段】燃焼装置１は、暖房回路に接続される熱源装置４ａと、給湯回路に接続される熱源装置４ｂとを備えている。熱源装置４ａ，４ｂは、第１熱交換器１２ａ，１２ｂと、第２熱交換器１３ａ，１３ｂと、ファン２３ａ，２３ｂとを具備している。熱源装置４ａ，４ｂにおいて発生した燃焼ガスは、集合排気部９内に流れ込む。熱源装置４ａのみが燃焼作動中である場合、燃焼停止中である熱源装置４ｂが備えるファン２３ｂの送風量を増加させ、熱源装置４ａから排出される燃焼ガスを希釈する。【選択図】　図１
2004044914.tif 000002
【特許請求の範囲】
【請求項１】
燃料を燃焼する燃焼手段と、当該燃焼手段において発生した燃焼ガスと熱交換を行う熱交換器と、前記燃焼手段に空気を供給する送風手段とを有する熱源装置を複数備え、当該複数の熱源装置から排出される燃焼ガスを集合して排出する集合排気部を具備し、少なくとも１の熱源装置が、第１熱交換器と、第１熱交換器よりも燃焼ガスの下流側に配置され第１熱交換器を通過した燃焼ガスと熱交換を行う第２熱交換器とを有する燃焼装置において、少なくとも１の熱源装置が燃焼作動中であり、他の熱源装置が燃焼停止中である場合に、燃焼停止中である熱源装置側から送風を行うものであり、少なくとも１の熱源装置が備える燃焼手段は、燃焼量に応じて燃焼に供される炎孔面積が可変であり、前記送風手段は送風量が可変であり、燃焼作動中である１又は２以上の熱源装置における前記炎孔面積が変化し、燃焼作動に伴い排出される燃焼ガスの白煙化が起こると想定される場合に、燃焼停止中である熱源装置が備える送風手段の送風量を変化させることを特徴とする燃焼装置。
【請求項２】
燃焼装置の外気の温度を検知する外気温検知手段を具備しており、当該外気温検知手段の検知結果に基づき、駆動停止中である熱源装置が具備する送風手段の送風量を変化させることを特徴とする請求項１に記載の燃焼装置。
【請求項３】
燃焼量を検知する燃焼量検知手段を具備しており、当該燃焼量検知手段の検知結果に基づき、駆動停止中である熱源装置が具備する送風手段の送風量を変化させることを特徴とする請求項１又は２に記載の燃焼装置。
【発明の詳細な説明】
【０００１】
【発明の属する技術分野】
本発明は、給湯器等の湯水加熱装置に好適に使用可能な燃焼装置に関するものである。
【０００２】
【従来の技術】
従来より、給湯器や暖房装置等の熱源として、ガスや液体燃料を燃焼する熱源装置を複数具備した燃焼装置が多用されている。
また近年、省エネルギーや環境保護の観点から、従来の燃焼装置よりもさらにエネルギー効率の高い燃焼装置が切望されている。そこで、かかる要望を解決すべく複数の熱交換器を備えた燃焼装置や、燃焼ガスの顕熱に加えて潜熱も回収可能な潜熱回収型燃焼装置と称する燃焼装置が提供されている。潜熱回収型燃焼装置は、主として燃焼ガスの顕熱を回収する第１熱交換器と、主として潜熱を回収する第２熱交換器とを備えたものであり、従来の燃焼装置に比べて熱効率が高い。
【０００３】
【発明が解決しようとする課題】
ところが上記した潜熱回収型燃焼装置は、潜熱を回収するという特質上、排出される燃焼ガスは比較的低温であり、特に外気温度の低い冬場などにおいては、燃焼ガスの温度が露点を下回ることが多い。燃焼ガスの温度が露点を下回ると、燃焼ガス中に含まれる水蒸気が凝縮する。潜熱の回収に伴い凝縮した水蒸気の一部は、燃焼装置の排気口近傍において白煙状態となって排出される場合がある。水蒸気が白煙状態となって排気口から排出されると、美観を損ねるばかりか、燃焼装置が故障したものと誤認されてしまう恐れがある。
【０００４】
そこで、本発明においては、上記した問題に鑑み、燃焼ガス中に含まれる水蒸気の凝縮に伴う白煙がほとんど発生しない燃焼装置の提供を目的とする。
【０００５】
【課題を解決するための手段】
上記した技術的課題を解決すべく提供される請求項１に記載の発明は、燃料を燃焼する燃焼手段と、当該燃焼手段において発生した燃焼ガスと熱交換を行う熱交換器と、前記燃焼手段に空気を供給する送風手段とを有する熱源装置を複数備え、当該複数の熱源装置から排出される燃焼ガスを集合して排出する集合排気部を具備し、少なくとも１の熱源装置が、第１熱交換器と、第１熱交換器よりも燃焼ガスの下流側に配置され第１熱交換器を通過した燃焼ガスと熱交換を行う第２熱交換器とを有する燃焼装置において、少なくとも１の熱源装置が燃焼作動中であり、他の熱源装置が燃焼停止中である場合に、燃焼停止中である熱源装置側から送風を行うものであり、少なくとも１の熱源装置が備える燃焼手段は、燃焼量に応じて燃焼に供される炎孔面積が可変であり、前記送風手段は送風量が可変であり、燃焼作動中である１又は２以上の熱源装置における前記炎孔面積が変化し、燃焼作動に伴い排出される燃焼ガスの白煙化が起こると想定される場合に、燃焼停止中である熱源装置が備える送風手段の送風量を変化させることを特徴とする燃焼装置である。
【０００６】
本発明の燃焼装置は、燃焼停止中の熱源装置側から送風を行い、集合排気部に空気を供給するものである。通常、燃焼停止中の熱源装置側から送り込まれる空気は、燃焼作動中の熱源装置から排出される燃焼ガスよりも水蒸気の含有量が少なく、乾燥している。そのため、駆動中の熱源装置から排出された燃焼ガスは、集合排気部において駆動停止中の熱源装置から供給される空気と混合することにより希釈され、露点温度が確実に低下する。従って、本発明の燃焼装置においては、燃焼ガスの白煙化がほとんど起こらない。
【０００７】
また、本発明の燃焼装置では、燃焼作動中である１又は２以上の熱源装置において燃焼に供される炎孔面積が変化し、燃焼作動に伴い排出される燃焼ガスの白煙化が起こると想定される場合に、駆動停止中である熱源装置側からの空気の供給量を変化させる。そのため、本発明の燃焼装置によれば、燃焼ガス中に含まれる水蒸気量に見合った量の空気を集合排気部に供給することができ、燃焼作動中の熱源装置から排出された燃焼ガスを確実に希釈することができる。よって、本発明の燃焼装置においては、燃焼ガス中の水蒸気が凝縮に伴う燃焼ガスの白煙化がほとんど起こらない。
【０００８】
請求項２に記載の発明は、燃焼装置の外気の温度を検知する外気温検知手段を具備しており、当該外気温検知手段の検知結果に基づき、駆動停止中である熱源装置が具備する送風手段の送風量を変化させることを特徴とする請求項１に記載の燃焼装置である。
【０００９】
本発明の燃焼装置は、上記したように外気の温度を検知する外気温検知手段の検知結果に応じて、駆動停止中である熱源装置が具備する送風手段の送風量を増減させるものである。そのため、本発明の燃焼装置は、外気の温度が低く、燃焼ガス中の水蒸気の白煙化が起こると懸念される場合に、駆動停止中である熱源装置が具備する送風手段の送風量を増加させることにより、燃焼ガスを希釈し、水蒸気の凝縮による燃焼ガスの白煙化を防止することができる。
【００１０】
また、本発明の燃焼装置は、外気の温度が高く、燃焼ガスの白煙化が起こりにくいと想定される場合には、駆動停止中である熱源装置が具備する送風手段の送風量を減少させることができる。従って、本発明の燃焼装置は、燃焼ガスの白煙化が起こらないと想定される場合に送風量を減少させることにより、ランニングコストおよび送風手段の駆動に伴う騒音を抑制することができる。
【００１１】
請求項３に記載の発明は、燃焼量を検知する燃焼量検知手段を具備しており、当該燃焼量検知手段の検知結果に基づき、駆動停止中である熱源装置が具備する送風手段の送風量を変化させることを特徴とする請求項１又は２に記載の燃焼装置である。
【００１２】
本発明の燃焼装置においては、燃焼量が変動すると、燃焼ガスの発生量が増減し、それに応じて燃焼ガス中に含まれる水蒸気の量も変化する。上記したように、本発明の燃焼装置は、燃焼量を検知する燃焼量検知手段を具備している。そのため、燃焼量が多く、燃焼ガス中に多くの水蒸気が含まれると想定される場合に駆動停止中である熱源装置が具備する送風手段の送風量を増加させることによって燃焼ガスを希釈し、水蒸気の凝縮による燃焼ガスの白煙化を確実に防止することができる。
【００１３】
【発明の実施の形態】
続いて、本発明の一実施形態である燃焼装置について図面を参照しながら詳細に説明する。図１は本発明の一実施形態である燃焼装置の主要部を示す模式図である。図２は、図１に示す燃焼装置が備える第２熱交換器を示す平面図である。図３は、図１に示す燃焼装置が備える第１熱交換器および第２熱交換器を示す正面図である。
【００１４】
燃焼装置１は、図１に示すように２つの熱源装置４ａ，４ｂを具備している。熱源装置４ａは、主として暖房用に用いられ、熱源装置４ｂは、主として給湯用に用いられる。熱源装置４ａ，４ｂは、ほぼ同一の構成を有し、それぞれ大別して加熱部２ａ，２ｂと、加熱部２ａ，２ｂにおいて発生した燃焼ガスと湯水などの熱媒体とが熱交換を行う熱交換部３ａ，３ｂと、加熱部２ａ，２ｂに空気を供給する給気部５ａ，５ｂと、熱交換部３ａ，３ｂを通過した燃焼ガスを熱源装置４ａ，４ｂの外部に排出する排気部６ａ，６ｂとから構成されている。燃焼装置１は、排気部６ａ，６ｂに連通し、熱源装置４ａ，４ｂにおいて発生した燃焼ガスを集合して燃焼装置１の外部に排出する集合排気部９を備えている。
【００１５】
加熱部２ａ，２ｂは、灯油等の液体燃料やガスを燃焼するバーナ（燃焼手段）７ａ，７ｂと燃焼空間部８ａ，８ｂとから構成されている。バーナ７ａ，７ｂにおいて発生した高温の燃焼ガスは、燃焼空間部８ａ，８ｂを通過し、熱交換部３ａ，３ｂへと流入する。また、加熱部２ａ，２ｂには、バーナ７ａ，７ｂにおいて発生している火炎の温度を検知するための火炎温度検知センサ１０ａ，１０ｂが設けられている。火炎温度検知センサ１０ａ，１０ｂは、後述するコントローラ２５に接続されている。
【００１６】
バーナ７ａは、６基の炎孔部材１１を並列に並べたものであり、要求される燃焼量に応じて燃料を放出し、燃焼作動を行う炎孔部材１１の基数を変更することができる。熱源装置４ａは３段階の燃焼作動段を有し、当該燃焼作動段は燃焼作動を行う炎孔部材１１の基数により規定されている。さらに詳細には、熱源装置４ａは、燃焼作動を行う炎孔部材１１の基数に応じて、６基燃焼、４基燃焼、２基燃焼の３段階の燃焼作動段を有し、要求される燃焼量に応じて燃焼作動段を切り替えることにより燃焼に供される炎孔面積、即ち燃焼面積を変化させる。
【００１７】
一方、バーナ７ｂは、１４基の炎孔部材１１が並列に並べられたものであり、要求される燃焼量に応じて燃料を放出し、燃焼作動を行う炎孔部材１１の基数を変更することができる。本実施形態の燃焼装置１は４段階の燃焼作動段を有し、当該燃焼作動段は燃焼作動を行う炎孔部材１１の基数により規定されている。さらに詳細には、燃焼装置１は、燃焼作動を行う炎孔部材１１の基数に応じて、１４基燃焼、１１基燃焼、６基燃焼、３基燃焼の４段階の燃焼作動段を有し、要求燃焼量に応じて燃焼作動段を切り替えることにより燃焼に供される炎孔面積を変化させる。
【００１８】
熱交換部３ａ，３ｂは、燃焼空間部８ａ，８ｂに連続した第１熱交換器１２ａ，１２ｂと、第２熱交換器１３ａ，１３ｂとが直列に配置されたものである。そして第１熱交換器１２ａ，１２ｂと、第２熱交換器１３ａ，１３ｂは、いずれも各熱源装置４ａ，４ｂの燃焼ガスの流路内にある。第１熱交換器１２ａ，１２ｂおよび、第２熱交換器１３ａ，１３ｂは、燃焼ガスの流路に対して直列に配置されている。
【００１９】
第１熱交換器１２ａ，１２ｂは、主要部分が銅製のいわゆるフィン・アンド・チューブ型の熱交換器である。第１熱交換器１２ａ，１２ｂは、主として前記燃焼ガスの顕熱を回収するものであり、内部に湯水や不凍液などの熱媒体が流れる。第１熱交換器１２ａ，１２ｂは、燃焼空間部８ａ，８ｂに連続した位置に設けられており、燃焼空間部８ａ，８ｂから熱交換部３ａ，３ｂ内に流入した高温の燃焼ガスと熱交換を行う。
【００２０】
第１熱交換器１２ａ，１２ｂは、入水口１５ａ，１５ｂと、出水口１６ａ，１６ｂとを備えている。入水口１５ａ，１５ｂは、後述する第２熱交換器１３ａ，１３ｂの排水口側に接続されている。また、出水口１６ａは、図示しない暖房回路に接続されている。また同様に、出水口１６ｂは、図示しない給湯回路に接続されている。第２熱交換器１３ａ，１３ｂで加熱され、入水口１５ａ，１５ｂから流入した湯水や熱媒体は、第１熱交換器１２ａ，１２ｂにおいてバーナ７で発生した高温の燃焼ガスと熱交換を行い、加熱される。第１熱交換器１２ａ，１２ｂにおいて加熱された湯水や熱媒体は、出水口１６ａ，１６ｂから排出され、給湯回路や暖房回路に供給される。
【００２１】
第１熱交換器１２ａ，１２ｂの出水口１６ａ，１６ｂの近傍には、第１熱交換器１２ａ，１２ｂにおいて加熱され高温となった湯水あるいは熱媒体の温度を検知する出湯温度センサ２２ａ，２２ｂが接続されている。
【００２２】
第２熱交換器１３ａ，１３ｂは、図１，２に示すように、外部の給水手段（図示せず）に接続される給水口１７ａ，１７ｂと、上記した第１熱交換器１２ａ，１２ｂの入水口１５ａ，１５ｂにつながる排水口１８ａ，１８ｂとを有し、表面にフィン２０が設けられている。第２熱交換器１３ａ，１３ｂには、給水口１７ａ，１７ｂから湯水や熱媒体が供給される。
【００２３】
第２熱交換器１３ａ，１３ｂ側には、第１熱交換器１２ａ，１２ｂにおいて熱交換を行い比較的低温となった燃焼ガスが流れ込む。上記したように、第２熱交換器１３ａ，１３ｂには、入水口１５ａ，１５ｂから低温の湯水あるいは熱媒体が供給されているため、第１熱交換器１２ａ，１２ｂを通過し低温となった燃焼ガスからでも十分熱エネルギーを回収することができる。即ち、第２熱交換器１３ａ，１３ｂにおいては、第１熱交換器を通過した燃焼ガスの持つ潜熱が主に回収される。
【００２４】
第２熱交換器１３ａ，１３ｂにおいて熱交換を行った燃焼ガスは、さらに冷却され、露点を下回る程度まで低温となる。そのため、燃焼ガス中に含まれている水蒸気は、第２熱交換器１３ａ，１３ｂの近傍若しくは第２熱交換器１３ａ，１３ｂの下流側において凝縮する。
【００２５】
第２熱交換器１３ａ，１３ｂにおいて水蒸気が凝縮すると、その一部は第２熱交換器１３ａ，１３ｂの表面に付着する。上記したように、燃焼ガス中にはＮＯｘ　やＳＯｘ　が含有されているため、第２熱交換器１３ａ，１３ｂの表面に付着している凝縮水は、酸性であり腐食性が高い。しかし、第２熱交換器１３ａ，１３ｂは、共に主要部分がステンレス製であり、第１熱交換器１２ａ，１２ｂ比べて防錆特性に優れている。そのため、第２熱交換器１３ａ，１３ｂは、燃焼ガスから潜熱を回収する際に発生する酸性の凝結水（ドレン）に晒される雰囲気下に配置されてもほとんど腐食されず、錆が発生しない。
【００２６】
第２熱交換器１３ａ，１３ｂの下部にはドレン受け１４ａ，１４ｂが設けられている。またドレン受け１４ａ，１４ｂには排水管１９ａ，１９ｂが接続され、第２熱交換器１３ａ，１３ｂに付着したドレンは、排水管１９ａ，１９ｂを流れて外部に排出される。
【００２７】
第２熱交換器１３ａ，１３ｂの給水口１７ａ，１７ｂの近傍には、第２熱交換器１３ａ，１３ｂに流入する湯水あるいは熱媒体の温度を検知する給水温度センサ２１ａ，２１ｂが接続されている。
【００２８】
給気部５ａ，５ｂは、内部にファン２３ａ，２３ｂ（送風手段）を内蔵しており、燃焼状態に応じて回転数を変化させることができる。ファン２３ａ，２３ｂは、後述するコントローラ２５に接続されており、ファン２３ａ，２３ｂの回転数は、コントローラ２５によって供給電力量を調整することにより制御されている。ファン２３の回転数を増大すると、送風量及び送風圧力が共に増大する。
【００２９】
ファン２３ａ，２３ｂは、燃焼装置１の起動中は常時回転しており、熱源装置４ａ，４ｂの駆動状態に応じ、供給電力量を調整することにより回転数Ｒが制御されている。給気部５ａ，５ｂには、ファン２３ａ，２３ｂの回転数Ｒを検知する回転数検知手段２４ａ，２４ｂが設けられている。回転数検知手段２４ａ，２４ｂは、共にコントローラ２５に接続されている。
【００３０】
燃焼装置１は、外気の温度を検知する外気温検知手段２６を備えている。外気温検知手段２６はコントローラ２５に接続されている。
【００３１】
コントローラ２５は、本実施形態の燃焼装置１の作動を司るものであり、上記した各温度センサの検知信号が入力される。また、コントローラ２５は、上記した各温度センサの検知信号に基づき、バーナ７ａ，７ｂおよびファン２３ａ，２３ｂの駆動制御を行う。
【００３２】
続いて、燃焼装置１の動作について説明する。本実施形態の燃焼装置１は、熱源装置４ａ，４ｂを構成するバーナ７ａ，７ｂおよびファン２３ａ，２３ｂの動作に特徴を有する。従って、以下の説明においては、バーナ７ａ，７ｂおよびファン２３ａ，２３ｂの動作を中心として説明する。
【００３３】
上記したように燃焼装置１は、主として暖房用に用いられる熱源装置４ａと、主として給湯用に用いられる熱源装置４ｂとを備えている。熱源装置４ａのバーナ７ａは、暖房の使用状態に応じて燃焼作動段、即ち燃焼作動を行う炎孔部材１１の基数を変化させる。即ち、熱源装置４ａのバーナ７ａは、要求される燃焼量に応じて、燃焼作動段が６基燃焼、４基燃焼、２基燃焼のいずれかに切り替わる。ファン２３ａの回転数Ｒは、熱源装置４ａにおける燃焼状態、即ちバーナ７ａの燃焼作動段に応じて安定燃焼に必要な空気量を供給可能なように調整されている。
【００３４】
また同様に、熱源装置４ｂのバーナ７ｂは、暖房の使用状態に応じて燃焼作動段を切り替え、燃焼作動を行う炎孔部材１１の基数を変化させる。バーナ７ｂにおいて燃焼を行う際には、ファン２３ｂが回転し、バーナ７ｂにおいて安定燃焼するのに最適な量の空気が供給される。
【００３５】
バーナ７ａ，７ｂは、外部から供給された燃料を燃焼し、燃焼空間部８ａ，８ｂ内に火炎を形成する。燃料の燃焼により発生する高温の燃焼ガスは、燃焼空間部８ａ，８ｂ内を移動し、第１熱交換器１２ａ，１２ｂおよび第２熱交換器１３ａ，１３ｂ側に流れる。燃焼ガスは、第１熱交換器１２ａ，１２ｂにおいて熱交換を行い、第１熱交換器１２ａ，１２ｂ内を流れる湯水を加熱する。燃焼ガスは、第１熱交換器１２ａ，１２ｂにおいて熱交換を行うことにより比較的低温となり、第２熱交換器１３ａ，１３ｂ側へと流れる。
【００３６】
第１熱交換器１２ａ，１３ａを通過した燃焼ガスは、第２熱交換器１３ａ，１３ｂにおいて内部を流れる湯水と熱交換を行い、第１熱交換器１２ａ，１２ｂにおいて放出しきれなかった熱エネルギーの大部分を放出する。そのため、第２熱交換器１３ａ，１３ｂを通過した燃焼ガスは、熱エネルギーの大部分が回収されており、露点を下回る程度まで低温となっている。
【００３７】
燃焼ガス中に含まれている水蒸気の一部は、第２熱交換器１３ａ，１３ｂの近傍において凝縮し、第２熱交換器１３ａ，１３ｂの表面に付着する。第２熱交換器１３ａ，１３ｂに付着した凝縮水は、第２熱交換器１３ａ，１３ｂの表面を伝って落下し、ドレン受け１４ａ，１４ｂを介して外部に放出される。一方、燃焼ガス中に含まれている水蒸気の残部は、燃焼ガスと共に第２熱交換部１３ａ，１３ｂを通過し、集合排気部９に流れ込む。
【００３８】
燃焼装置１において、暖房回路の使用が停止すると、それに連動してバーナ７ａが停止する。ここで、ファン２３ａは、所定の回転数Ｒｃ　でバーナ７ａの燃焼作動段に応じた所定の時間にわたって回転を継続し、掃気動作を行う。即ち、バーナ７ａにおいて稼働している炎孔部材１１の基数が多いほど、ファン２３ａは長時間にわたって回転する。そのため、燃焼量が多く、多くのドレンが発生すると想定される場合であっても、第２熱交換器１３ａに付着したドレンを排除し、ドレンによる排気閉塞を防止できる。
【００３９】
一方、暖房回路用の熱源装置４ａ側のバーナ７ａにおける燃焼が停止したにも拘わらず、給湯回路が使用中で熱源装置４ｂのバーナ７ｂが燃焼作動中である場合、ファン２３ａは回転を継続する。ここで、バーナ７ａが停止した際に外気温検知センサ２６の検知温度（外気温度ｔ）が所定の温度Ｔ以上である場合、ファン２３ａは、熱源装置４ｂのファン２３ｂが停止するまで所定の回転数Ｒｃ　で回転を続け、熱源装置４ａの掃気動作を行う。
【００４０】
上記したように、給湯回路用の熱源装置４ｂのバーナ７ｂは燃焼駆動中であり、燃料を燃焼して高温の燃焼ガスを発生する。ここで、冬場であるなどして外気温度ｔが低く、所定の温度Ｔを下回る場合、バーナ７ａから排出される高温の燃焼ガスは、第１熱交換器１２ｂおよび第２熱交換器１３ｂを通過する間に熱交換を行い、露点を下回る程度まで低温となる。そのため、熱源装置４ｂ側から集合排気部９に流入した燃焼ガスは、水蒸気が飽和した状態であり、水蒸気が凝縮して白煙化する恐れがある。
【００４１】
そのため、燃焼装置１のコントローラ２５は、集合排気部９から排出される燃焼ガスの白煙化を防止すべく、暖房回路用の熱源装置４ａが備えるファン２３ａを、燃焼作動中である熱源装置４ｂのファン２３ｂが停止するまで所定の回転数Ｒｃ　以上の回転数で回転を続ける。即ち、コントローラ２５は、熱源装置４ｂ側から集合排気部９内に流入した水蒸気を多く含む燃焼ガスを希釈させるべく、ファン２３ａの回転数を増大させ、熱源装置４ａ側から水蒸気含有量の少なく乾燥した空気を導入する。
【００４２】
ここで、ファン２３ｂの回転数は、熱源装置４ｂのバーナ７ｂの燃焼状態によって変化する。さらに詳細には、バーナ７ｂの燃焼作動段、即ちバーナ７ｂにおいて燃焼動作を行う炎孔部材１１の基数が多いほど、燃焼ガス中に含まれる水蒸気量が多く、燃焼ガスが白煙化する可能性が高い。そのため、燃焼装置１のコントローラ２５は、バーナ７ｂの燃焼作動段が大きい場合にファン２３ａの回転数を回転数Ｒｄ　まで増大させる。熱源装置４ｂ側から集合排気部９内に排出された燃焼ガスは、熱源装置４ａ側から集合排気部９内に導入される水蒸気の含有量が少なく乾燥した空気と混合される。集合排気部９内の燃焼ガスと空気との混合ガスは、熱源装置４ｂ側から導入された空気により飽和水蒸気量以下に希釈され、白煙化することなく排出される。
【００４３】
また逆に、バーナ７ｂの燃焼作動段が比較的小さい場合には、燃焼ガス中に含まれる水蒸気量が比較的少ない。さらに、バーナ７ｂの燃焼作動段が比較的小さい場合、集合排気部９に排出される燃焼ガスは、燃焼に供していない炎孔部材１１の周囲に供給される空気によって、予めある程度希釈されている。そのため、バーナ７ｂの燃焼作動段が比較的小さい場合、集合排気部９内の燃焼ガスと空気との混合ガスは、ファン２３ａの回転数を上記した回転数Ｒｄ　まで増大させ無くても飽和水蒸気量以下に希釈される。従って、燃焼装置１のコントローラ２５は、ファン２３の回転数を回転数Ｒｃ　と同程度、あるいは回転数Ｒｄ　よりも小さな回転数Ｒｆ　に調整することにより、熱源装置４ｂから排出される燃焼ガスを希釈する。集合排気部９内の燃焼ガスと空気との混合ガスは、熱源装置４ｂ側から導入された空気により飽和水蒸気量以下に希釈され、白煙化することなく排出される。
【００４４】
一方、給湯回路の使用が停止し、熱源装置４ｂのバーナ７ｂにおける燃焼が停止したにも拘わらず、暖房回路用の熱源装置４ａのバーナ７ａが燃焼作動中である場合、ファン２３ｂの回転を継続することにより掃気動作を行うと共に、熱源装置４ａ側から集合排気部９に流入した燃焼ガスが熱源装置４ｂ側に逆流するのを防止する。ここで、外気温検知センサ２６が検知する外気温度ｔが、所定の温度Ｔ以上である場合、ファン２３ｂは、熱源装置４ａのファン２３ａが停止するまで所定の回転数Ｒｃ　で回転を続ける。
【００４５】
外気温度ｔが所定の温度Ｔを下回る場合、コントローラ２５は、暖房回路用の熱源装置４ａのファン２３ａが停止するまで上記した回転数Ｒｄ　あるいは回転数Ｒｆ　でファン２３ｂを回転させる。ここで、ファン２３ｂの回転数Ｒｄ　，Ｒｆ　は、いずれも所定の回転数Ｒｃ　以上であり、バーナ７ａにおいて燃焼に供する炎孔部材１１の基数が増加するほど、ファン２３ｂの回転数は大きくなる。
【００４６】
コントローラ２５は、熱源装置４ｂのファン２３ｂを回転数Ｒｄ　あるいは回転数Ｒｆ　で回転させることにより熱源装置４ｂの掃気動作を行うと共に、集合排気部９に水蒸気の含有量が少なく乾燥した空気を供給する。そのため、熱源装置４ａ側から集合排気部９内に流入した燃焼ガスは、熱源装置４ａ側から流入した空気により希釈される。従って、本実施形態の燃焼装置１では、外気温度ｔの低い冬場などにおいても燃焼ガスが含有する水蒸気の凝縮に伴う白煙の発生が起こらない。
【００４７】
本実施形態の燃焼装置１は、熱源装置４ａ，４ｂが共に第１熱交換器１２ａ，１２ｂと、第２熱交換器１３ａ，１３ｂとを備えている。そのため、燃焼装置１は、燃料の燃焼により発生した熱エネルギーの大部分を回収することができ、熱効率が非常に高い。
【００４８】
燃焼装置１は、駆動停止中である熱源装置４ａあるいは熱源装置４ｂ側から、集合排気部９に水蒸気の含有量が少なく乾燥した空気を供給するものである。そのため、本実施形態の燃焼装置１では、例え駆動中である熱源装置４ａあるいは熱源装置４ｂ側から排出される燃焼ガスが水蒸気で飽和した状態であっても、この燃焼ガスは駆動停止中の熱源装置側から供給される乾燥した空気と混合することにより希釈され、露点温度が確実に低下する。そのため、燃焼ガスは、白煙化せずに集合排気部９から排出される。
【００４９】
燃焼装置１は、外気温度ｔが低く、燃焼ガスの白煙化が起こると懸念される場合にのみ、駆動停止中である熱源装置４ａあるいは熱源装置４ｂのファン２３ａ，２３ｂの回転数を増加させるものである。また、燃焼装置１は、燃焼作動中である熱源装置４ａ，４ｂが備えるバーナ７ａ，７ｂの燃焼作動段に応じて、ファン２３ａ，２３ｂの回転数をＲｄ　あるいはＲｆ　まで増大させるものである。即ち、燃焼装置１は、必要に応じて送風量を増加させるものであるため、ランニングコストが低く、ファン２３ａ，２３ｂの駆動に伴う騒音も最小限に抑制することができる。
【００５０】
上記実施形態の燃焼装置１は、外気温度ｔを測定する外気温度検知手段２６を備え、外気温度ｔとバーナ７ａ，７ｂにおいて駆動している炎孔部材１１の数とに基づきファン２３ａ，２３ｂを所定の回転数で回転させるものであったが、本発明はこれに限定されるものではない。さらに具体的には、燃焼装置１は、外部から供給される湯水の温度を検知する給水温度センサ２１ａ，２１ｂや、第１熱交換器１２ａ，１２ｂから流出する湯水の温度を検知する出湯温度センサ２２ａ，２２ｂ等の検知信号に基づき、それぞれの熱源装置４ａ，４ｂにおける燃料の消費量（燃焼量）を検知し、この検知結果に基づいてファン２３ａ，２３ｂを所定の回転数で回転させる構成とすることも可能である。即ち、燃焼装置１は、各熱源装置４ａ，４ｂにおける燃焼量を検知する燃焼量検知手段として機能する、給水温度センサ２１ａ，２１ｂや、出湯温度センサ２２ａ，２２ｂの検知信号に基づき、送風量を調整することも可能である。かかる構成によれば、バーナ７ａ，７ｂにおける燃焼状態を精度良く検知することができ、この検知結果に基づきファン２３ａ，２３ｂの回転数を増減させることにより白煙の発生を確実に防止することができる。
【００５１】
燃焼装置１において、第２熱交換器１３ａ，１３ｂを通過した燃焼ガスが白煙化するのは、集合排気部９には水蒸気を含有し、露点を下回る程度まで低温となった燃焼ガスが流れ込むことに起因している。そのため、燃焼装置１は、熱源装置４ａあるいは熱源装置４ｂにおいて発生した燃焼ガスの湿度あるいは露点を検知可能な湿度検知手段や露点検知手段を設け、当該湿度検知手段や露点検知手段の検知結果に基づきファン２３ａ，２３ｂの回転数を増減させる構成とすることも可能である。かかる構成によっても、上記実施形態に例示した燃焼装置１と同様に、水蒸気の凝縮による白煙の発生を防止することができる。
【００５２】
上記した燃焼装置１は、熱源装置４ａ，４ｂが共に第１熱交換器１２ａ，１２ｂと、第２熱交換器１３ａ，１３ｂを備えたものであったが、本発明はこれに限定されるものではなく、いずれか一方は第２熱交換器１３ａ，１３ｂを備えていなくてもよい。
【００５３】
また、上記実施形態において、熱源装置４ａ，４ｂが備えるバーナ７ａ，７ｂは、いずれも炎孔部材１１を複数有し、燃焼量に応じて燃焼作動段が切り替わるものであったが、本発明はこれに限定されるものではない。即ち、バーナ７ａ，７ｂのいずれかは、単一の炎孔部材１１によって構成されるものであっても良い。また、バーナ７ａ，７ｂは、必ずしも燃焼作動段を切り替え可能なものである必要はない。
【００５４】
上記した実施形態において、燃焼装置１は、２つの熱源装置４ａ，４ｂを備えたものであったが、本発明はこれに限定されるものではなく、熱源装置４ａ，４ｂをさらに多数備えたものであっても良い。
【００５５】
【発明の効果】
請求項１に記載の発明によれば、水蒸気の含有量が少なく乾燥した空気を集合排気部に流し込むことにより、燃焼作動中の熱源装置から排出された燃焼ガスを希釈し、燃焼ガスの白煙化を確実に防止することができる。
【００５６】
また、請求項２に記載の発明によれば、外気の温度が低く、燃焼ガス中の水蒸気がして白煙化が起こると懸念される場合に、駆動停止中である熱源装置側からの送風量を増加させることにより、燃焼ガスを希釈し、水蒸気の凝縮による燃焼ガスの白煙化を防止することができる。
【００５７】
請求項３に記載の発明によれば、燃焼量が多く、燃焼ガスの白煙化が起こると想定される場合に、駆動停止中である熱源装置側からの送風量を増加させ、水蒸気の凝縮による燃焼ガスの白煙化を確実に防止することができる
【図面の簡単な説明】
【図１】本発明の一実施形態である燃焼装置の主要部を示す模式図である。
【図２】図１に示す燃焼装置が備える第２熱交換器を示す平面図である。
【図３】図１に示す燃焼装置が備える第１熱交換器および第２熱交換器を示す正面図である。
【符号の説明】
１　燃焼装置
３ａ，３ｂ　熱交換部
４ａ，４ｂ　熱源装置
７ａ，７ｂ　バーナ（燃焼手段）
９　集合排気部
１１ａ，１１ｂ　炎孔部材
１２ａ，１２ｂ　第１熱交換器
１３ａ，１３ｂ　第２熱交換器
２１ａ，２１ｂ　給水温度センサ
２２ａ，２２ｂ　出湯温度センサ
２３ａ，２３ｂ　ファン（送風手段）
【図１】
2004044914.tif 000003
【図２】
2004044914.tif 000004
【図３】
2004044914.tif 000005